(57)【要約】【課題】再生中の楽曲に相応しくない広告コンテンツの再生を、より効率良く抑制することが可能な広告再生装置、カラオケ装置、及び広告再生方法を提供する。【解決手段】広告再生装置は、再生中の楽曲の属性を示す再生中楽曲属性情報を取得し、再生リストから、コンテンツ識別情報と対応付けられた楽曲属性情報を取得する。そして、広告再生装置は、取得した再生中楽曲属性情報と一致する楽曲属性情報が対応付けられたコンテンツ識別情報が示す広告コンテンツの再生を制限するように構成した。【選択図】図２
2014029440.tif 000002
【特許請求の範囲】
【請求項１】
１以上の広告コンテンツを示すコンテンツ識別情報を含む再生リストであって、前記コンテンツ識別情報と、広告コンテンツの出力を制限する楽曲の属性を示す楽曲属性情報とを対応付けて、前記再生リストとして記憶する記憶手段と、
再生中の楽曲の属性を示す再生中楽曲属性情報を取得する第１取得手段と、
前記再生リストから、コンテンツ識別情報と対応付けられた楽曲属性情報を取得する第２取得手段と、
前記第１取得手段により取得された前記再生中楽曲属性情報と一致する楽曲属性情報であって、前記第２取得手段により取得された前記楽曲属性情報が対応付けられたコンテンツ識別情報が示す前記広告コンテンツの再生を制限する再生手段と、
を備えることを特徴とする広告再生装置。
【請求項２】
前記再生リストにおいて、前記コンテンツ識別情報と、広告コンテンツの出力を制限する楽曲の曲カテゴリを示す前記楽曲属性情報とが対応付けられており、
前記第１取得手段は、前記再生中の楽曲の曲カテゴリを示す前記再生中楽曲属性情報を取得し、
前記第２取得手段は、前記再生リストから、コンテンツ識別情報と対応付けられた曲カテゴリを示す楽曲属性情報を取得し、
前記再生手段は、前記第１取得手段により取得された前記再生中楽曲属性情報が示す前記曲カテゴリと一致する曲カテゴリであって、前記第２取得手段により取得された前記楽曲属性情報が示す前記曲カテゴリが対応付けられたコンテンツ識別情報が示す前記広告コンテンツの再生を制限することを特徴とする請求項１に記載の広告再生装置。
【請求項３】
前記再生リストにおいて、前記コンテンツ識別情報と、前記コンテンツ識別情報が示す前記広告コンテンツの再生順序を示す順序情報とが対応付けられており、
前記再生手段は、前記再生リストの前記順序情報に従って前記広告コンテンツを再生するとき、前記取得手段により取得された前記再生中楽曲属性情報と一致する楽曲属性情報に対応付けられた前記コンテンツ識別情報が示す前記広告コンテンツの再生をスキップして、再生順序が次の順序を示す前記順序情報が対応付けられたコンテンツ識別情報が示す前記広告コンテンツを再生することを特徴とする請求項１または２に記載の広告再生装置。
【請求項４】
前記第２取得手段により取得された前記楽曲属性情報と、前記第１取得手段により取得された前記再生中楽曲属性情報とにより、前記再生リストの中に、前記第１取得手段により取得された前記再生中楽曲属性情報と一致する楽曲属性情報が対応付けられたコンテンツ識別情報があるかを判断する判断手段をさらに備え、
前記再生手段は、前記判断手段による判断結果に従って、前記再生リストの中に、前記取得手段により取得された前記再生中楽曲属性情報と一致する楽曲属性情報に対応付けられたコンテンツ識別情報以外のコンテンツ識別情報がないと判断した場合、前記再生リストの前記コンテンツ識別情報が示す前記広告コンテンツとは異なる広告コンテンツを再生することを特徴とする請求項１〜３のいずれか一項に記載の広告再生装置。
【請求項５】
前記再生リストの前記コンテンツ識別情報が示す前記広告コンテンツとは異なる広告コンテンツは、再生中の楽曲の属性を示す再生中楽曲属性情報に関わらず、出力が制限されない広告コンテンツであることを特徴とする請求項１〜４のいずれか一項に記載の広告再生装置。
【請求項６】
１以上の広告コンテンツを示すコンテンツ識別情報を含む再生リストであって、前記コンテンツ識別情報と、広告コンテンツの出力を制限する楽曲の属性を示す楽曲属性情報とを対応付けて、前記再生リストとして記憶する記憶手段と、
再生中のカラオケ楽曲の再生中楽曲属性情報を取得する第１取得手段と、
前記再生リストから、コンテンツ識別情報と対応付けられた楽曲属性情報を取得する第２取得手段と、
前記第１取得手段により取得された前記再生中楽曲属性情報と一致する楽曲属性情報であって、前記第２取得手段により取得された前記楽曲属性情報が対応付けられたコンテンツ識別情報が示す前記広告コンテンツの再生を制限する再生手段と、
を備えることを特徴とするカラオケ装置。
【請求項７】
広告コンテンツを再生する広告再生装置により実行される広告再生方法であって、
１以上の広告コンテンツを示すコンテンツ識別情報を含む再生リストであって、前記コンテンツ識別情報と、広告コンテンツの出力を制限する楽曲の属性を示す楽曲属性情報とを対応付ける前記再生リストを取得するステップと、
再生中の楽曲の属性を示す再生中楽曲属性情報を取得する第１取得ステップと、
前記再生リストから、コンテンツ識別情報と対応付けられた楽曲属性情報を取得する第２取得ステップと、
前記第１取得ステップにより取得された前記再生中楽曲属性情報と一致する楽曲属性情報であって、前記第２取得ステップにより取得された前記楽曲属性情報が対応付けられたコンテンツ識別情報が示す前記広告コンテンツの再生を制限するステップと、
を含むことを特徴とする広告再生方法。
【発明の詳細な説明】
【技術分野】
【０００１】
本発明は、再生中の楽曲に応じた広告コンテンツを再生させる装置及び方法等の技術分野に関する。
【背景技術】
【０００２】
従来、例えばカラオケルームにおいて楽曲の演奏休止期間などに広告コンテンツを再生するカラオケ装置が知られている。例えば、特許文献１には、放映する広告番組の制限条件を示す掲示禁止指標データをカラオケ装置ごとに設定できる技術が開示されている。
【先行技術文献】
【特許文献】
【０００３】
【特許文献１】特開２００２−２５８８７６号公報
【発明の概要】
【発明が解決しようとする課題】
【０００４】
しかしながら、特許文献１の技術は、カラオケ装置ごとに再生する広告コンテンツを制限するものの、再生中の楽曲に相応しくない広告コンテンツの再生を制限してはいない。そのため、再生中の楽曲に相応しくない広告コンテンツが再生されてしまう場合がある。この場合、例えば再生中の楽曲を聴いているユーザや歌唱しているユーザに対して、不快感を与えるおそれがある。
【０００５】
そこで、本発明は、以上の点等に鑑みてなされたものであり、再生中の楽曲に相応しくない広告コンテンツの再生を、より効率良く抑制することが可能な広告再生装置、カラオケ装置、及び広告再生方法を提供する。
【課題を解決するための手段】
【０００６】
上記課題を解決するために、請求項１に記載の発明は、１以上の広告コンテンツを示すコンテンツ識別情報を含む再生リストであって、前記コンテンツ識別情報と、広告コンテンツの出力を制限する楽曲の属性を示す楽曲属性情報とを対応付けて、前記再生リストとして記憶する記憶手段と、再生中の楽曲の属性を示す再生中楽曲属性情報を取得する第１取得手段と、前記再生リストから、コンテンツ識別情報と対応付けられた楽曲属性情報を取得する第２取得手段と、前記第１取得手段により取得された前記再生中楽曲属性情報と一致する楽曲属性情報であって、前記第２取得手段により取得された前記楽曲属性情報が対応付けられたコンテンツ識別情報が示す前記広告コンテンツの再生を制限する再生手段と、を備えることを特徴とする。
【０００７】
請求項２に記載の発明は、請求項１に記載の広告再生装置において、前記再生リストにおいて、前記コンテンツ識別情報と、広告コンテンツの出力を制限する楽曲の曲カテゴリを示す前記楽曲属性情報とが対応付けられており、前記第１取得手段は、前記再生中の楽曲の曲カテゴリを示す前記再生中楽曲属性情報を取得し、前記第２取得手段は、前記再生リストから、コンテンツ識別情報と対応付けられた曲カテゴリを示す楽曲属性情報を取得し、前記再生手段は、前記第１取得手段により取得された前記再生中楽曲属性情報が示す前記曲カテゴリと一致する曲カテゴリであって、前記第２取得手段により取得された前記楽曲属性情報が示す前記曲カテゴリが対応付けられたコンテンツ識別情報が示す前記広告コンテンツの再生を制限することを特徴とする。
【０００８】
請求項３に記載の発明は、請求項１または２に記載の広告再生装置において、前記再生リストにおいて、前記コンテンツ識別情報と、前記コンテンツ識別情報が示す前記広告コンテンツの再生順序を示す順序情報とが対応付けられており、前記再生手段は、前記再生リストの前記順序情報に従って前記広告コンテンツを再生するとき、前記取得手段により取得された前記再生中楽曲属性情報と一致する楽曲属性情報に対応付けられた前記コンテンツ識別情報が示す前記広告コンテンツの再生をスキップして、再生順序が次の順序を示す前記順序情報が対応付けられたコンテンツ識別情報が示す前記広告コンテンツを再生することを特徴とする。
【０００９】
請求項４に記載の発明は、請求項１〜３のいずれか一項に記載の広告再生装置において、前記第２取得手段により取得された前記楽曲属性情報と、前記第１取得手段により取得された前記再生中楽曲属性情報とにより、前記再生リストの中に、前記第１取得手段により取得された前記再生中楽曲属性情報と一致する楽曲属性情報が対応付けられたコンテンツ識別情報があるかを判断する判断手段をさらに備え、前記再生手段は、前記判断手段による判断結果に従って、前記再生リストの中に、前記取得手段により取得された前記再生中楽曲属性情報と一致する楽曲属性情報に対応付けられたコンテンツ識別情報以外のコンテンツ識別情報がないと判断した場合、前記再生リストの前記コンテンツ識別情報が示す前記広告コンテンツとは異なる広告コンテンツを再生することを特徴とする。
【００１０】
請求項５に記載の発明は、請求項１〜４のいずれか一項に記載の広告再生装置において、前記再生リストの前記コンテンツ識別情報が示す前記広告コンテンツとは異なる広告コンテンツは、再生中の楽曲の属性を示す再生中楽曲属性情報に関わらず、出力が制限されない広告コンテンツであることを特徴とする。
【００１１】
請求項６に記載の発明は、１以上の広告コンテンツを示すコンテンツ識別情報を含む再生リストであって、前記コンテンツ識別情報と、広告コンテンツの出力を制限する楽曲の属性を示す楽曲属性情報とを対応付けて、前記再生リストとして記憶する記憶手段と、再生中のカラオケ楽曲の再生中楽曲属性情報を取得する第１取得手段と、前記再生リストから、コンテンツ識別情報と対応付けられた楽曲属性情報を取得する第２取得手段と、前記第１取得手段により取得された前記再生中楽曲属性情報と一致する楽曲属性情報であって、前記第２取得手段により取得された前記楽曲属性情報が対応付けられたコンテンツ識別情報が示す前記広告コンテンツの再生を制限する再生手段と、を備えることを特徴とする。
【００１２】
請求項７に記載の発明は、広告コンテンツを再生する広告再生装置により実行される広告再生方法であって、１以上の広告コンテンツを示すコンテンツ識別情報を含む再生リストであって、前記コンテンツ識別情報と、広告コンテンツの出力を制限する楽曲の属性を示す楽曲属性情報とを対応付ける前記再生リストを取得するステップと、再生中の楽曲の属性を示す再生中楽曲属性情報を取得する第１取得ステップと、前記再生リストから、コンテンツ識別情報と対応付けられた楽曲属性情報を取得する第２取得ステップと、前記第１取得ステップにより取得された前記再生中楽曲属性情報と一致する楽曲属性情報であって、前記第２取得ステップにより取得された前記楽曲属性情報が対応付けられたコンテンツ識別情報が示す前記広告コンテンツの再生を制限するステップと、を含むことを特徴とする。
【発明の効果】
【００１３】
請求項１、６、又は７に記載の発明によれば、再生中の楽曲の属性を示す再生中楽曲属性情報を取得し、取得した再生中楽曲属性情報と一致する楽曲属性情報に対応付けられたコンテンツ識別情報が示す広告コンテンツの再生を制限するように構成したので、再生中の楽曲に相応しくない広告コンテンツの再生を、より効率良く抑制することができる。
【００１４】
請求項２に記載の発明によれば、楽曲の属性として曲カテゴリを用いることで、再生中の楽曲に相応しくない広告コンテンツをより的確に判定することができる。
【００１５】
請求項３に記載の発明によれば、再生リストの順序情報を利用して再生中の楽曲に相応しくない広告コンテンツの再生を制限しつつ、順序情報に従って、広告コンテンツを効率良く再生することができる。
【００１６】
請求項４に記載の発明によれば、再生リストで示される全ての広告コンテンツが再生中の楽曲に相応しくないと判断された場合であっても、再生中の楽曲には影響しない広告コンテンツをユーザに閲覧させることができる。
【図面の簡単な説明】
【００１７】
【図１】本実施形態のカラオケシステムＳの概要構成例を示す図である。
【図２】図２（Ａ）は、広告表示端末３の制御部３１における処理を示すフローチャートである。図２（Ｂ）は、広告再生リストに登録された内容の一例を示す図である。図２（Ｃ）は、楽曲属性情報テーブルに登録された内容の一例を示す図である。
【発明を実施するための形態】
【００１８】
以下、本発明の実施形態を図面に基づいて説明する。なお、以下に説明する実施の形態は、例えばカラオケ店舗において利用されるカラオケシステムに対して、本発明を適用した場合の実施形態である。
【００１９】
［１．カラオケシステムの構成及び動作の概要］
始めに、図１を参照して、本実施形態のカラオケシステムの構成の概要を説明する。図１は、本実施形態のカラオケシステムＳの概要構成例を示す図である。図１に示すように、カラオケシステムＳは、選曲装置１、カラオケ装置２、広告表示端末３、及び管理サーバ４を含んで構成される。広告表示端末３は、本発明の広告再生装置の一例である。選曲装置１、カラオケ装置２、及び広告表示端末３は、例えば、カラオケ店舗のカラオケルーム（客室）に設置される。選曲装置１は、例えば赤外線を介して同室内のカラオケ装置２と通信可能になっている。カラオケ装置２は、選曲装置１からユーザにより行われるカラオケ楽曲の再生を予約する指示を、受信する。カラオケ装置２は、選曲装置１により予約されたカラオケ楽曲を順に再生する。カラオケ装置２は、例えばＬＡＮを介して同室内の広告表示端末３と通信可能になっている。カラオケ装置２及び広告表示端末３は、ＬＡＮ及びルータを介してネットワークＮＷに接続される。ネットワークＮＷは、例えば、インターネット、携帯通信網、及びゲートウェイ等により構成される。広告表示端末３は、カラオケ装置２により再生される楽曲の情報を、ネットワークＮＷを介して取得する。また、管理サーバ４は、ネットワークＮＷに接続される。カラオケ装置２及び広告表示端末３は、ネットワークＮＷを介して管理サーバ４と通信可能になっている。また、管理サーバ４には、ネットワークＮＷを介して管理者の端末５が接続可能になっている。
【００２０】
選曲装置１は、カラオケ装置２に向けて選曲を要求する専用のリモコンである。選曲装置１は、カラオケ店舗の部屋を利用するユーザが楽曲を予約するために用いられる。楽曲には、カラオケ楽曲が含まれる。カラオケ楽曲とは、基となる楽曲のボーカルパートまたはギターなどの所定パートを除いた曲である。ユーザが予約する楽曲は、カラオケ装置２により実行されるゲーム等のアプリケーションであってもよい。選曲装置１は、ユーザにより選曲された楽曲の予約要求をカラオケ装置２へ送信する。
【００２１】
カラオケ装置２は、ユーザにより選曲された楽曲を再生する演奏装置である。カラオケ装置２は、選曲装置１から予約要求を受信すると、楽曲の予約を受け付ける。この予約要求には、予約対象の楽曲に付与された曲番号が含まれる。曲番号は、楽曲を識別するための識別情報である。カラオケ装置２は、予約を受け付けた楽曲の曲番号と、楽曲の再生開始時刻を対応付けて予約リストに登録する。予約リストに曲番号が登録された楽曲は、例えば予約順に再生される。カラオケ装置２は、楽曲が再生されるとき、再生される楽曲について、再生中の楽曲の曲情報を示す楽曲の曲番号を記憶する。カラオケ装置２は、広告表示端末３からの要求に応じて再生中の楽曲の曲情報として、楽曲の曲番号を広告表示端末３へ送信する。また、カラオケ装置２は、楽曲のほか、ゲームなどのアプリケーションの再生を行うことが可能である。アプリケーションには、楽曲と同様に、アプリケーションを識別するための識別情報として、曲番号が付与される。以下、本実施形態では、カラオケ装置２により再生される楽曲およびアプリケーションを含めて、楽曲として説明する。
【００２２】
広告表示端末３は、カラオケ装置２による楽曲の再生中に、広告コンテンツを再生し、ディスプレイへ出力する端末である。広告コンテンツには、広告コンテンツＩＤが付与される。広告コンテンツＩＤは、広告コンテンツを示すコンテンツ識別情報の一例である。広告コンテンツは、例えば、システム運営者と広告主との取り決めに従って出力させる静止画または動画の広告コンテンツである。広告表示端末３は、例えば、管理サーバ４により作成された広告再生リストを取得する。広告再生リストは、再生対象となる１以上の広告コンテンツを示す広告コンテンツＩＤを含む再生リストである。広告再生リストには、広告コンテンツＩＤに対応させて、複数の広告コンテンツの再生順序が定められている。広告表示端末３は、広告再生リストの再生順序に従って、順に広告コンテンツを再生する。
【００２３】
また、広告再生リストにおいて、広告コンテンツによっては、広告コンテンツＩＤに広告コンテンツの出力を制限する楽曲の属性を示す楽曲属性情報が対応付けられている場合がある。この場合、広告表示端末３は、広告再生リストから取得される楽曲属性情報と、再生中の楽曲の属性を示す再生中楽曲属性情報とにより、広告再生リストの中に、再生中楽曲属性情報と一致する楽曲属性情報が対応付けられた広告コンテンツＩＤがあるかを判断する。広告表示端末３は、判断結果に従って、再生中の楽曲の属性を示す再生中楽曲属性情報と一致する楽曲属性情報に対応付けられた広告コンテンツＩＤが示す広告コンテンツの再生を制限する。なお、再生中の楽曲の属性を示す再生中楽曲属性情報には、再生中の楽曲の属性として、例えば、曲カテゴリ、曲調、曲特徴、楽曲のデータ種別、楽曲のレーベル等を示す情報がある。また、楽曲属性情報である楽曲の属性には、再生中楽曲属性情報と対応するように、例えば、曲カテゴリ、曲調、曲特徴、楽曲のデータ種別、楽曲のレーベル等がある。また、カラオケ装置２により、楽曲と同様にして再生されるアプリケーションには、属性として、アプリケーションであることを示す情報が示されてもよい。楽曲のデータ種別は、楽曲のデータ構成を示し、楽曲のデータが音声データと映像データから構成されるか、或いは楽曲のデータが音声データのみから構成されるか、楽曲のデータが映像データのみから構成されるかを示す。
【００２４】
管理サーバ４は、楽曲及び広告コンテンツを管理するサーバである。管理サーバ４は、広告再生リストを作成する。管理サーバ４は、広告表示端末３からの要求に応じて広告再生リストを広告表示端末３へ送信する。あるいは、管理サーバ４は、広告表示端末３へ提供可能な広告コンテンツの情報を示す後述の広告管理リストを、広告表示端末３へ送信する。広告表示端末３は、受信した広告管理リストから、再生する広告コンテンツを定めた広告再生リストを作成する。
【００２５】
［２．カラオケ装置２、広告表示端末３、及び管理サーバ４の構成］
次に、図１を参照して、カラオケ装置２、広告表示端末３、及び管理サーバ４の構成について説明する。
【００２６】
カラオケ装置２は、制御部２１、記憶部２２、ビデオＲＡＭ２３、映像再生部２４、表示処理部２５、マイク制御部２６、シンセサイザ２７、ミキシングアンプ２８、操作部２９ａ、操作処理部２９ｂ、赤外線受信部２９ｃ、及び通信部２９ｄ等を備えて構成される。制御部２１は、ＣＰＵ、ＲＯＭ、及びＲＡＭ等により構成される。記憶部２２は、例えば、ハードディスク等により構成される。記憶部２２には、ＯＳ（オペレーティングシステム）及び楽曲再生処理プログラムが記憶されている。制御部２１は、ＯＳ及び楽曲再生処理プログラムを実行することにより、カラオケ装置２全体を統括制御する。記憶部２２には、予約された楽曲の予約リストが記憶される。予約リストには、例えば、楽曲の楽曲ＩＤが予約順に登録される。記憶部２２には、楽曲に対応する音声データ及び映像データ等が記憶される。記憶部２２には、再生される楽曲の曲情報である曲番号が記憶される。そして、再生される楽曲が予約リストの予約順が次の楽曲に更新されるたび、記憶される楽曲の曲情報が更新される。シンセサイザ２７は、制御部２１の制御の下、音声データを用いて楽曲の再生を行い、楽曲の音声信号をミキシングアンプ２８へ出力する。マイク制御部２６は、マイクにより集音されたユーザの歌唱音声信号をミキシングアンプ２８へ出力する。ミキシングアンプ２８は、楽曲の音声信号と歌唱音声信号とをミキシングしてスピーカへ出力する。映像再生部２４は、制御部２１の制御の下、映像データを用いて楽曲の再生を行い、楽曲の映像信号を表示処理部２５へ出力する。表示処理部２５は、楽曲の映像信号をディスプレイへ出力して映像を表示させる。制御部２１は、ユーザによる操作部２９ａからの指示を、操作処理部２９ｂを介して受け付ける。赤外線受信部２９ｃは、選曲装置１との間で赤外線通信を行う。
【００２７】
広告表示端末３は、制御部３１、記憶部３２、表示処理部３３、及び通信部３４等を備えて構成される。制御部３１は、ＣＰＵ、ＲＯＭ、及びＲＡＭ等により構成され、時計機能を備える。記憶部３２は、例えば、ハードディスク等により構成される。記憶部３２には、ＯＳ及び広告表示処理プログラム等が記憶されている。記憶部３２は、本発明の記憶手段の一例である。制御部３１は、ＯＳ及び広告表示処理プログラムを実行することにより、広告表示端末３全体を統括制御する。制御部３１は、本発明の取得手段、再生手段、及び判断手段等の一例である。記憶部３２には、広告再生リストが記憶される。記憶部３２には、広告コンテンツが所定のファイル形式で記憶される。広告コンテンツは、例えば静止画データ又は動画データにより構成される。記憶部３２に記憶される広告コンテンツには、広告再生リストに広告コンテンツＩＤが登録された広告コンテンツと、広告再生リストに広告コンテンツＩＤが登録されていない広告コンテンツとがある。広告再生リストに広告コンテンツＩＤが登録されていない広告コンテンツを、以下、「標準コンテンツ」という。標準コンテンツは、再生リストの中に、再生中楽曲属性情報と一致する楽曲属性情報に対応付けられた広告コンテンツＩＤ以外の広告コンテンツＩＤがない場合に再生される広告コンテンツである。例えば、標準コンテンツは、再生中の楽曲の属性を示す再生中楽曲属性情報に関わらず、出力が制限されない広告コンテンツである。標準コンテンツには、楽曲属性情報が対応付けられていない。標準コンテンツは、カラオケ装置２により楽曲が再生中である場合と、楽曲が再生されていない場合とのいずれのときにおいても、再生されてよい広告コンテンツである。よって、標準コンテンツを再生するときは、カラオケ装置２から取得される再生中の楽曲を示す曲情報により判断する処理は不要である。また、標準コンテンツを再生するとき、カラオケ装置２から再生中の楽曲を示す曲情報を取得する処理が不要である。標準コンテンツは、予め記憶部３２に記憶されていてもよい。また、標準コンテンツは、記憶部３２に記憶された広告コンテンツのうち、対応する広告コンテンツＩＤが再生リストに含まれておらず、且つ、再生中楽曲属性情報と一致する楽曲属性情報が対応付けられていない広告コンテンツＩＤに対応する広告コンテンツであってもよい。また、記憶部３２には、カラオケ装置２により再生可能な楽曲の属性を示す楽曲属性情報を登録する楽曲属性情報テーブルが記憶される。楽曲属性情報テーブルは、再生中楽曲属性情報を取得するために用いられる。楽曲属性情報テーブルには、例えば、楽曲の曲番号と、楽曲の属性を示す楽曲属性情報とが対応付けられて登録される。具体的には、楽曲属性情報テーブルには、楽曲の曲番号と対応して、楽曲の属性を示す曲カテゴリとして、曲カテゴリＩＤが登録される。曲カテゴリＩＤは、楽曲のジャンルによりそれぞれ異なるＩＤである。カラオケ装置２から再生中の楽曲の曲情報を示す楽曲の曲番号を取得したとき、制御部３１により楽曲属性情報テーブルにおいて、カラオケ装置２から取得した再生中の楽曲の曲情報と対応付けられた楽曲属性情報が特定される。特定された楽曲属性情報は、再生中の楽曲の楽曲属性情報であるため、再生中楽曲属性情報として、記憶部３２に記憶される。なお、標準コンテンツ及び楽曲属性情報テーブルは、広告表示処理プログラムのプリインストールにより記憶部３２に記憶される。或いは、標準コンテンツ及び楽曲属性情報テーブルは、広告表示処理プログラムのプリインストール後に、管理サーバ４から取得され記憶部３２に記憶されてもよい。制御部３１は、広告再生リストに従って、広告コンテンツを再生し、広告の画像信号を表示処理部３３へ出力する。表示処理部３３は、広告の画像信号をディスプレイへ出力して静止画又は動画を表示させる。なお、広告表示端末３にディスプレイが備えられているとき、広告表示端末３は、カラオケ装置２による楽曲の再生に従って、画像を表示するディスプレイとして使用可能である。
【００２８】
管理サーバ４は、制御部４１、記憶部４２、及び通信部４３等を備えて構成される。制御部４１は、ＣＰＵ、ＲＯＭ、及びＲＡＭ等により構成される。記憶部４２は、例えば、ハードディスク等により構成される。記憶部４２には、ＯＳ及びサーバ処理プログラム等が記憶されている。制御部４１は、ＯＳ及びサーバ処理プログラムを実行することにより、管理サーバ４全体を統括制御する。記憶部４２には、カラオケ装置２により再生可能な楽曲の属性を示す楽曲属性情報を管理するための楽曲管理リストが記憶される。楽曲管理リストには、例えば、楽曲の曲番号と、楽曲の属性を示す楽曲属性情報とが対応付けられて登録される。また、記憶部４２には、広告表示端末３へ提供可能な広告コンテンツの情報を管理するための広告管理リストが記憶される。広告管理リストには、広告コンテンツを示す広告コンテンツＩＤと、広告コンテンツの出力を制限する楽曲の属性を示す楽曲属性情報と、広告主の情報とが対応付けられて登録される。広告管理リストにおいて、広告コンテンツＩＤと楽曲属性情報との対応付けは、例えば、広告コンテンツの広告主からの要求に応じて管理者により行われる。記憶部４２には、広告管理リストで管理される広告コンテンツが所定のファイル形式で記憶される。広告コンテンツは、例えば広告主の端末からアップロードされる。制御部４１は、広告管理リストに基づいて広告再生リストを作成する。そして、制御部４１は、作成した広告再生リスト及び広告再生リストが示す広告コンテンツを広告表示端末３へ送信する。
【００２９】
［３．カラオケシステムＳの広告再生動作］
次に、図２を参照して、カラオケシステムＳの広告再生動作を説明する。図２（Ａ）は、広告表示端末３の制御部３１における処理を示すフローチャートである。図２（Ｂ）は、広告再生リストに登録された内容の一例を示す図である。図２（Ｃ）は、楽曲属性情報テーブルに登録された内容の一例を示す図である。
【００３０】
図２（Ａ）に示す処理は、例えば、広告表示端末３が管理サーバ４から広告再生リストを取得した場合に開始される。管理サーバ４から取得された広告再生リストには、図２（Ｂ）に示すように、広告コンテンツの再生順序を示す順序情報と、広告コンテンツの広告コンテンツＩＤと、広告コンテンツの出力を制限する楽曲の曲カテゴリを示す曲カテゴリＩＤとが対応付けられて登録されている。曲カテゴリＩＤは、曲カテゴリを示す楽曲属性情報の一例である。なお、広告表示端末３は、例えば広告再生リストを管理サーバ４から取得する際に、この広告再生リストに登録された広告コンテンツＩＤが示す広告コンテンツを管理サーバ４から取得する。或いは、広告表示端末３は、広告再生リストに登録された広告コンテンツＩＤが示す広告コンテンツの再生開始する際に、この広告コンテンツを管理サーバ４から取得するように構成してもよい。
【００３１】
図２（Ａ）に示す処理が開始されると、広告表示端末３の制御部３１は、広告再生リストの順序情報に従って、広告再生リストから広告コンテンツＩＤを一つ選定する（ステップＳ１）。図２（Ａ）に示す処理の開始直後のステップＳ１では、図２（Ｂ）に示す広告再生リストに登録された広告コンテンツＩＤが“00001”が選定されることになる。
【００３２】
次いで、制御部３１は、再生中の楽曲の曲情報の要求をカラオケ装置２へ送信することで曲情報をカラオケ装置２から取得する（ステップＳ２）。曲情報には、例えば、現在再生中の楽曲の曲番号が含まれる。例えば、カラオケ装置２から、再生中の楽曲の曲番号として“１”を取得する。なお、曲情報には、予約リストが含まれるように構成してもよい。この予約リストには、楽曲の曲番号に対応付けられて楽曲の再生開始時刻が登録されている。そのため、制御部３１は、時計機能により、現在再生中の楽曲の曲番号を予約リストから特定し、取得することができる。
【００３３】
次いで、制御部３１は、現在再生中の楽曲の曲カテゴリを示す曲カテゴリＩＤを取得する（ステップＳ３）。ステップＳ３では、記憶部３２に記憶された楽曲属性情報テーブルに従って、ステップＳ２において取得された再生中の楽曲の曲番号と対応付けられている楽曲の属性を示す曲カテゴリＩＤが特定される。例えば、制御部３１は、ステップＳ２で取得された曲番号“1”と一致する曲番号に対応付けられた曲カテゴリＩＤを、図２（Ｃ）に示す楽曲属性情報テーブルから検索し取得する。ステップＳ２において、曲番号“1”が取得されたとき、ステップＳ３では、図２（Ｃ）の楽曲属性情報テーブルを検索し、曲カテゴリＩＤ“100”を取得する。ステップＳ３において特定される再生中の楽曲に対応する曲カテゴリＩＤが、上述した再生中楽曲属性情報の一例である。なお、現在再生中の楽曲の曲カテゴリを示す曲カテゴリＩＤは、上記ステップＳ２で曲情報として取得されるように構成してもよい。この場合、楽曲属性情報テーブルを用いて曲カテゴリＩＤを検索する処理を省略することができる。
【００３４】
次いで、制御部３１は、ステップＳ１で選定された広告コンテンツＩＤに対応付けられて、曲カテゴリＩＤが広告再生リストに登録されているか否かを判定する（ステップＳ４）。曲カテゴリＩＤが広告再生リストに登録されていると判定された場合（ステップＳ４：ＹＥＳ）、ステップＳ５へ進む。曲カテゴリＩＤが広告再生リストに登録されていないと判定された場合（ステップＳ４：ＮＯ）、ステップＳ７へ進む。
【００３５】
ステップＳ５では、制御部３１は、ステップＳ１で選定された広告コンテンツＩＤに対応付けられた曲カテゴリＩＤを広告再生リストから取得する。次いで、制御部３１は、ステップＳ１で選定された広告コンテンツＩＤが示す広告コンテンツが再生可能であるか否かを判定する（ステップＳ６）。ステップＳ３で取得された曲カテゴリＩＤと、ステップＳ５で取得された曲カテゴリＩＤとが一致する場合、ステップＳ１で選定された広告コンテンツＩＤが示す広告コンテンツが再生可能でないと判定される。
【００３６】
制御部３１は、広告コンテンツが再生可能であると判定した場合（ステップＳ６：ＹＥＳ）、ステップＳ７へ進む。ステップＳ７では、制御部３１は、ステップＳ１で選定された広告コンテンツＩＤが示す広告コンテンツを再生する。そして、広告コンテンツの再生が終了した場合（ステップＳ８：ＹＥＳ）、ステップＳ１２へ進む。ステップＳ１２では、制御部３１は、スキップカウンタの値をクリア（０に）する。一方、制御部３１は、広告コンテンツが再生可能でないと判定した場合（ステップＳ６：ＮＯ）、ステップＳ９へ進む。つまり、制御部３１は、現在再生中の楽曲の曲カテゴリと一致する曲カテゴリの曲カテゴリＩＤが広告再生リスト中で対応付けられた広告コンテンツＩＤに対応する広告コンテンツの再生をスキップする。これにより、広告コンテンツの再生が制限される。例えば、ステップＳ１で広告コンテンツＩＤが“00001”が選定されているとする。図２（Ｂ）の例では、広告コンテンツＩＤ“00001”には、広告コンテンツの出力を制限する曲カテゴリＩＤ“100”が対応付けられている。曲カテゴリＩＤ“100”は、広告コンテンツの出力を制限する曲カテゴリが“バラード”であることを示す。そのため、現在再生中の楽曲の曲カテゴリが“バラード”である場合、広告コンテンツＩＤ“00001”の広告コンテンツの再生はスキップされる。このように、曲カテゴリを用いることで、再生中の楽曲に相応しくない広告コンテンツをより的確に判定することができる。ステップＳ９では、制御部３１は、スキップカウンタに“１”を加算する。スキップカウンタは、ステップＳ６の処理で再生がスキップされた広告コンテンツの数をカウントするカウンタである。
【００３７】
次いで、制御部３１は、スキップカウンタの値が、広告再生リストに登録された広告コンテンツＩＤの数より小さいか否かを判定する（ステップＳ１０）。スキップカウンタの値が、広告再生リストに登録された広告コンテンツＩＤの数より小さいと判定された場合（ステップＳ１０：ＹＥＳ）、ステップＳ１３へ進む。つまり、広告再生リストに登録された広告コンテンツＩＤが示す広告コンテンツが全てスキップされていない場合は、ステップＳ１３へ進む。一方、スキップカウンタの値が、広告再生リストに登録された広告コンテンツＩＤの数より小さくないと判定された場合は（ステップＳ１０：ＮＯ）、ステップＳ１１へ進む。ステップＳ１１では、制御部３１は、記憶部３２から標準コンテンツを取得する。そして、制御部３１は、取得された標準コンテンツを再生する（ステップＳ７）。つまり、制御部３１は、広告再生リストの中に、現在再生中の楽曲の曲カテゴリと一致する曲カテゴリの曲カテゴリＩＤに対応付けられた広告コンテンツＩＤとは異なる広告コンテンツＩＤがないと判断した場合、広告再生リストの広告コンテンツＩＤが示す広告コンテンツとは異なる標準コンテンツを再生する。これにより、広告再生リストで示される全ての広告コンテンツが再生中の楽曲に相応しくないと判断された場合であっても、再生中の楽曲には影響しない標準コンテンツをユーザに閲覧させることができる。
【００３８】
ステップＳ１３では、制御部３１は、広告再生リストの順序情報に従って、広告再生リストに登録された全ての広告コンテンツＩＤがステップＳ１で選定されたか否かを判定する。つまり、広告コンテンツＩＤの選定が一周したか否かが判定される。広告再生リストに登録された全ての広告コンテンツＩＤが選定されていないと判定された場合（ステップＳ１３：ＮＯ）、ステップＳ１に戻る。ステップＳ１に戻ると、制御部３１は、広告再生リストの順序情報に従って未だ設定されていな広告コンテンツＩＤを選定し、上記と同様に処理を行う。このとき、ステップＳ１において、例えば、広告再生リストにおける再生順序が広告コンテンツＩＤ“00001”の広告コンテンツの次の順序を示す順序情報が対応付けられた広告コンテンツＩＤ“00002”が選定されたとする。図２（Ｂ）の例では、広告コンテンツＩＤ“00002”には、広告コンテンツの出力を制限する曲カテゴリＩＤ“000”が対応付けられている。曲カテゴリＩＤ“000”は、コンテンツの出力を制限する曲カテゴリを特定しないことを示す。そのため、現在再生中の楽曲の曲カテゴリが“バラード”である場合、広告コンテンツＩＤ“00002”の広告コンテンツは再生されることになる。つまり、上記例では、広告コンテンツＩＤ“00001”の広告コンテンツの再生がスキップされて、再生順序が次の順序を示す順序情報が対応付けられた広告コンテンツＩＤ“00002”の広告コンテンツが再生される。
【００３９】
また、広告コンテンツＩＤ“00003”に対応付けられている曲カテゴリＩＤ“010”は、広告コンテンツの出力を制限する曲カテゴリが“ロック”であることを示す。広告コンテンツＩＤ“00004”に対応付けられている曲カテゴリＩＤ“111”は、広告コンテンツの出力を制限する曲カテゴリが“バラード、ロック、ジャズ”であることを示す。これにより、図２（Ｃ）に示す曲カテゴリが“バラード”である曲番号“1”の曲が再生中である場合、広告コンテンツＩＤ“00001”の広告コンテンツの再生がスキップされて、再生順序が次の順序を示す順序情報が対応付けられた広告コンテンツＩＤ“00002”の広告コンテンツが再生され、広告コンテンツＩＤ“00003”の広告コンテンツが再生される。その後、広告コンテンツＩＤ“00004”の広告コンテンツの再生がスキップされる。曲カテゴリが“ロック”である曲番号“2”の曲が再生中である場合、広告コンテンツＩＤ“00001”の広告コンテンツが再生され、再生順序が次の順序を示す順序情報が対応付けられた広告コンテンツＩＤ“00002”の広告コンテンツが再生され、広告コンテンツＩＤ“00003”の広告コンテンツがスキップされる。その後、広告コンテンツＩＤ“00004”の広告コンテンツの再生がスキップされる。曲カテゴリが“ジャズ”である曲番号“3”の曲が再生中である場合、広告コンテンツＩＤ“00001”の広告コンテンツが再生され、再生順序が次の順序を示す順序情報が対応付けられた広告コンテンツＩＤ“00002”の広告コンテンツが再生され、広告コンテンツＩＤ“00003”の広告コンテンツが再生される。その後、広告コンテンツＩＤ“00004”の広告コンテンツの再生がスキップされる。
【００４０】
一方、広告再生リストに登録された全ての広告コンテンツＩＤが選定されたと判定された場合（ステップＳ１３：ＹＥＳ）、ステップＳ１４へ進む。次いで、制御部３１は、広告コンテンツの再生を終了するか否かを判定する（ステップＳ１４）。例えば、広告コンテンツの繰り返し再生が設定されている場合、制御部３１は、広告コンテンツの再生を終了しないと判定し（ステップＳ１４：ＮＯ）、ステップＳ１に戻る。ステップＳ１に戻ると、制御部３１は、広告再生リストの順序情報に従って、広告再生リストに登録された最初の広告コンテンツＩＤを再選定し、上記と同様の処理を繰り返す。一方、例えば、広告コンテンツの繰り返し再生が設定されていない場合、制御部３１は、広告コンテンツの再生を終了すると判定し（ステップＳ１４：ＹＥＳ）、図２（Ａ）に示す処理を終了する。
【００４１】
なお、上記処理においては楽曲の曲カテゴリを用いて、楽曲の再生中に広告コンテンツの再生を制限するか否かを決定するように構成した。しかし、曲カテゴリの代わりに、楽曲の曲調、楽曲の曲特徴、楽曲のデータ種別、又は楽曲のレーベル等を用いて、楽曲の再生中に広告コンテンツの再生を制限するか否かを決定するように構成してもよい。
【００４２】
また、上記処理において、カラオケシステムＳの広告再生動作は、広告再生リストの各広告コンテンツＩＤを、再生順序に従って、順に選定することにより、全ての広告コンテンツＩＤを選定する方法であったが、これに限らない。例えば、広告再生リストの再生順序に従って、最後の広告コンテンツＩＤが選定された場合に、ステップＳ１３において、再生リストの全ての広告コンテンツＩＤが選定されたと判断し、続けて、スキップカウンタの値をクリアする処理を行い、その後、ステップＳ１４の処理を行っても良い。また、広告再生リストの各広告コンテンツＩＤに再生順序が定められていない場合は、広告再生リストの各広告コンテンツＩＤをランダムに抽出し、選定される方法であってもよい。
【００４３】
以上説明したように、上記実施形態によれば、広告表示端末３は、再生中の楽曲の属性を示す再生中楽曲属性情報を取得し、取得した再生中楽曲属性情報と一致する楽曲属性情報に対応付けられた広告コンテンツＩＤが示す広告コンテンツの再生を制限するように構成した。そのため、再生中の楽曲に相応しくない広告コンテンツの再生を、より効率良く抑制することができる。
【００４４】
また、上記実施形態によれば、広告表示端末３は、再生中楽曲属性情報と一致する楽曲属性情報に対応付けられた広告コンテンツＩＤが示す広告コンテンツの再生をスキップして、再生順序が次の順序を示す順序情報が対応付けられた広告コンテンツＩＤが示す広告コンテンツを再生するように構成した。そのため、広告再生リストの順序情報を利用して再生中の楽曲に相応しくない広告コンテンツの再生を制限しつつ、順序情報に従って、広告コンテンツを効率良く再生することができる。
【００４５】
なお、上記図２（Ａ）の処理は、広告コンテンツの再生を制限する方法の一例であり、他の方法で広告コンテンツの再生を制限するように構成してもよい。例えば、先ず、広告表示端末３は、再生中楽曲属性情報を上述したように取得する。次に、広告表示端末３は、取得した再生中楽曲属性情報と一致する楽曲属性情報に対応付けられた広告コンテンツＩＤを、広告再生リストの中から１以上決定する。次に、広告表示端末３は、決定した広告コンテンツＩＤに対応付けて再生制限フラグを例えば広告再生リストに登録する。そして、広告表示端末３は、広告再生リストの順序情報に従って広告コンテンツを再生するとき、再生制限フラグが対応付けられた広告コンテンツＩＤが示す広告コンテンツの再生をスキップする。この構成によっても、再生中の楽曲に相応しくない広告コンテンツの再生を、より効率良く抑制することができる。
【００４６】
また、上記実施形態において、標準コンテンツを再生するにあたり、広告表示端末３は、取得した再生中楽曲属性情報と一致する楽曲属性情報に対応付けられた広告コンテンツＩＤが広告再生リストの中にあるか否かを判断するように構成してもよい。この場合、広告表示端末３は、判断結果に従って、広告再生リストの中に、取得した再生中楽曲属性情報と一致する楽曲属性情報に対応付けられた広告コンテンツＩＤ以外の広告コンテンツＩＤがないと判断した場合、広告再生リストの広告コンテンツＩＤが示す広告コンテンツとは異なる標準コンテンツを再生する。この構成によれば、再生中の楽曲には影響しない標準コンテンツをユーザに効率良く閲覧させることができる。
【００４７】
また、上記実施形態において、カラオケ装置２が広告表示端末３の代わりに、図２（Ａ）に示す処理を実行するように構成してもよい。この場合、カラオケ装置２の制御部２１が、本発明の取得手段及び再生手段等として機能する。
【００４８】
また、上記実施形態においては、本発明のシステムをカラオケシステムに適用した場合の例について説明したが、カラオケシステム以外の例えば広告配信システムに対して適用することも可能である。
【符号の説明】
【００４９】
１  選曲装置
２  カラオケ装置
３  広告表示端末
４  管理サーバ
４１  制御部
４２  記憶部
４３  通信部
【図２】
2014029440.tif 000003
【図１】
2014029440.tif 000004